(57)【要約】      （修正有）【課題】ユーザーの意図しない誤操作の発生を未然に防止するタッチ入力装置を提供する。【解決手段】画面に指が近づいたときに生じる静電容量の変化に基づき、画面をタッチした位置を検出する静電容量方式のタッチパネルと、予め定められた静電容量の下限閾値Ｔｈ２および上限閾値Ｔｈ１ならびにタッチ速度判定の基準時間を格納する記憶部と、時間を計測する計時部と、タッチパネル、記憶部及び計時部を制御する制御部とを備える。下限閾値Ｔｈ２は、タッチパネルが指を検出していないときの静電容量より大きく、上限閾値Ｔｈ１は、画面に指が接触しているときの静電容量より小さい。制御部は、画面に指が近づいた際に、静電容量が下限閾値Ｔｈ２から上限閾値Ｔｈ１まで変化するのに要した経過時間Δｔを計時部に計測させ、経過時間Δｔが基準時間より長いとき、意図しない誤操作が生じたものと判定する。【選択図】図６
2016206749.tif 000002
【特許請求の範囲】
【請求項１】
画面に指が近づいたときに生じる静電容量の変化に基づき、前記画面をタッチした位置を検出する静電容量方式のタッチパネルと、
予め定められた静電容量の下限閾値および上限閾値ならびにタッチ速度判定の基準時間を格納する記憶部と、
時間を計測する計時部と、
前記タッチパネル、前記記憶部および前記計時部を制御する制御部とを備え、
前記下限閾値は、前記タッチパネルが指を検出していないときの静電容量より大きく、
前記上限閾値は、画面に指が接触しているときの静電容量より小さく、
前記制御部は、画面に指が近づいた際に、前記静電容量が前記下限閾値から上限閾値まで変化するのに要した経過時間を前記計時部に計測させ、前記経過時間が前記基準時間より長いとき、意図しない誤操作が生じたものと判定することを特徴とするタッチ入力装置。
【請求項２】
前記制御部は、前記画面に表示された操作キーがタッチされた場合において、前記経過時間が前記基準時間より長いとき、前記操作キーによる操作を実行すべきか否かを確認するメッセージを前記画面に表示させる、請求項１に記載のタッチ入力装置。
【請求項３】
前記制御部は、前記操作キーが印刷操作に係るものである場合、前記メッセージと併せて印刷プレビューを表示させる、請求項２に記載のタッチ入力装置。
【請求項４】
前記操作キーは、設定を変更する際の最終決定に係るものである、請求項２に記載のタッチ入力装置。
【請求項５】
前記制御部は、前記画面の操作キーが表示されていない予め定められた箇所がタッチされた場合において、前記経過時間が前記基準時間より短いときに限って、予め定められた専用画面を表示させる、請求項１ないし４のいずれか１つに記載のタッチ入力装置。
【請求項６】
前記制御部は、前記画面がタッチされた場合において、前記経過時間が前記基準時間より長いとき、前記画面のタッチされた部分を拡大表示させる、請求項１ないし５のいずれか１つに記載のタッチ入力装置。
【請求項７】
請求項１ないし６のいずれか１つに記載のタッチ入力装置を備えた画像形成装置。
【請求項８】
画面に指が近づいたときに生じる静電容量の変化に基づき、前記画面をタッチした位置を検出する静電容量方式のタッチパネルのタッチ入力方法であって、
画面に指が近づいた際、前記静電容量が、予め定められた下限閾値から上限閾値まで変化するのに要した経過時間を計測し、前記経過時間が予め定められた基準時間より長いとき、意図しない誤操作が生じたものと判定することを特徴とするタッチ入力方法。
【発明の詳細な説明】
【技術分野】
【０００１】
この発明は、タッチ入力装置、前記タッチ入力装置を備えた画像形成装置およびタッチ入力方法、より詳細には、誤操作防止機能を備えたタッチ入力装置、前記タッチ入力装置を備えた画像形成装置およびタッチ入力方法に関する。
【背景技術】
【０００２】
画像形成装置は、インターフェースとして、出力装置に液晶パネル、入力装置にタッチパネル方式が多く用いられている。タッチパネル方式とすることで、入力インターフェースが物理キー等の物理的な機構によって制限されることがなく、出力装置による表示画像に合わせて、入力エリアを設定できるため自由度の高い入力インターフェースが構築できる。
【０００３】
しかしながら、タッチパネルは、物理キーのように押し込む必要がなく、パネルに触れるだけで入力操作が検知されるため、物理キーよりも誤操作が生じやすい。特に、複写機や複合機などの画像形成装置の場合、印刷スタートキー等の最終決定キーを誤って操作した場合、印刷用紙やトナー・インク等の消耗品が消費されてしまうため、問題となっていた。
【０００４】
ここで、タッチパネルを操作する際のヒューマンエラーを防止する発明として、例えば、プラントの操作を行う監視操作装置に適用されるタッチパネル誤操作防止入出力装置の発明が開示されている（例えば、特許文献１を参照）。
【先行技術文献】
【特許文献】
【０００５】
【特許文献１】特開２０１３−２３２０６２号公報
【発明の概要】
【発明が解決しようとする課題】
【０００６】
ところで、タッチパネルの誤操作には、大きく分けて、タッチパネルを押そうとする指の押し間違えによる誤操作（以下、「押し間違えによる誤操作」と呼ぶ）と、タッチパネルを押そうとする指以外の指が意図せずにタッチパネルに接触してしまうことによる誤操作（以下、「意図しない誤操作」と呼ぶ）の２種類がある。
【０００７】
意図しない誤操作としては、例えば、ユーザーが右利きの場合、ディスプレイを保持する左手の指が意図せずにタッチパネルに接触してしまう場合や、また、利き手であっても、タッチする指（人差し指など）以外の指（親指など）が意図せずにタッチパネルに接触してしまう場合などがあげられる。
【０００８】
タッチパネルを用いた入力装置の構造は、タッチパネルの特性上平面構造であり、構造上、入力エリアの枠が存在しないため、ユーザーが意図しない箇所をタッチしてしまうおそれがある。特に、タッチパネルの感度が高くなり、狭額縁・薄型になるほど、タッチパネルに指等が接触するリスクも高まるため、意図しない誤操作が生じ易くなる。
【０００９】
このため、このような意図しない誤操作の発生を未然に防止する新たなタッチ入力装置が求められていた。
【００１０】
この発明は、ユーザーの意図しない誤操作の発生を未然に防止するタッチ入力装置を提供するものである。
【課題を解決するための手段】
【００１１】
この発明は、画面に指が近づいたときに生じる静電容量の変化に基づき、前記画面をタッチした位置を検出する静電容量方式のタッチパネルと、予め定められた静電容量の下限閾値および上限閾値ならびにタッチ速度判定の基準時間を格納する記憶部と、時間を計測する計時部と、前記タッチパネル、前記記憶部および前記計時部を制御する制御部とを備え、前記下限閾値は、前記タッチパネルが指を検出していないときの静電容量より大きく、前記上限閾値は、画面に指が接触しているときの静電容量より小さく、前記制御部は、画面に指が近づいた際に、前記静電容量が前記下限閾値から上限閾値まで変化するのに要した経過時間を前記計時部に計測させ、前記経過時間が前記基準時間より長いとき、意図しない誤操作が生じたものと判定することを特徴とするタッチ入力装置を提供する。
この発明は、画面に指が近づいたときに生じる静電容量の変化に基づき、前記画面をタッチした位置を検出する静電容量方式のタッチパネルのタッチ入力方法であって、画面に指が近づいた際、前記静電容量が、予め定められた下限閾値から上限閾値まで変化するのに要した経過時間を計測し、前記経過時間が予め定められた基準時間より長いとき、意図しない誤操作が生じたものと判定することを特徴とするタッチ入力方法を提供する。
【発明の効果】
【００１２】
この発明によれば、ユーザーの意図しない誤操作の発生を未然に防止するタッチ入力装置が実現される。
【図面の簡単な説明】
【００１３】
【図１】この発明の画像読取装置を備えたデジタル複合機の外観を示す斜視図である。（実施形態１）
【図２】図１に示すデジタル複合機の平面図である。（実施形態１）
【図３】図１に示すデジタル複合機のパネルユニットを示す説明図である。（実施形態１）
【図４】図１に示すデジタル複合機の概略構成を示すブロック図である。（実施形態１）
【図５】図１に示すデジタル複合機のタッチパネルの操作の一例を示す説明図である。（実施形態１）
【図６】図１に示すパネルの任意の１点における静電容量の変化を表した説明図である。（実施形態１）
【図７】タッチ速度が遅い場合における、図１に示す表示部の表示の一例を示す説明図である。（実施形態１）
【図８】タッチ速度が遅い場合における、実施形態２に係るデジタル複合機の表示部の表示の一例を示す説明図である。（実施形態２）
【図９】実施形態３に係るデジタル複合機のパネルユニットを示す説明図である。（実施形態３）
【図１０】タッチ速度が遅い場合における、実施形態５に係るデジタル複合機の表示部の表示の一例を示す説明図である。（実施形態５）
【発明を実施するための形態】
【００１４】
以下、図面を用いてこの発明をさらに詳述する。なお、以下の説明は、すべての点で例示であって、この発明を限定するものと解されるべきではない。
【００１５】
〔実施形態１〕
図１〜図４に基づき、この発明のタッチ入力装置の一実施形態であるデジタル複合機１について説明する。
図１は、この発明の画像読取装置を備えたデジタル複合機１の外観を示す斜視図である。図２は、図１に示すデジタル複合機１の平面図である。図３は、図１に示すデジタル複合機１のパネルユニット１７を示す説明図である。図４は、図１に示すデジタル複合機１の概略構成を示すブロック図である。
【００１６】
なお、この発明は、デジタル複合機１に限定されるものではなく、例えば、スマートフォンやタブレット等の携帯端末、パーソナルコンピュータ、乗車券や食券等を販売する自動券売機、病院や銀行等の精算機、セルフのガソリンスタンド、キャッシュレジスタなどのタッチ入力装置を用いたすべての機器に適用可能である。
【００１７】
デジタル複合機１は、画像データをデジタル処理し、複写機能やスキャナ機能、ファクシミリ機能を有する複合機やＭＦＰ（Multifunction Peripheral：多機能周辺装置）などの装置である。
【００１８】
図１および図２に示すように、デジタル複合機１は、パネルユニット１７を備える。
【００１９】
図３に示すように、パネルユニット１７は、表示部１７１および操作部１７２を備え、操作部１７２は、タッチパネル１７２１および表示操作部１７２２から構成される。
【００２０】
タッチパネル１７２１は、液晶パネル等から構成された表示パネルと、表示パネルに重ねて配置され、ユーザーの指が近づいた位置を検出する投影型静電容量方式のタッチパネルとから構成される。
【００２１】
投影型静電容量方式のタッチパネル１７２１は、制御ＩＣを搭載した基板層の上に、多数の電極からなる縦横のパターンを有する透明電極層を並べ、前記透明電極層上にガラスやプラスチックからなる絶縁体フィルムを重ねた構造を有する。指をパネルの表面に近づけると、指を近づけた部分の電極に静電容量の変化が生じ、静電容量の変化に起因する電流量の比率を測定することで、タッチ位置を検出することができる。
また、投影型静電容量方式のタッチパネル１７２１は複数の電極を有するため、一度に多数のタッチ位置を検出（マルチタッチ）することもできる。
【００２２】
表示操作部１７２２は、表示灯１７２２１、電源キー１７２２２、節電キー１７２２３およびホームキー１７２２４を備える。
ホームキー１７２２４は、動作モードを選択するホーム画面に表示部１７１の表示画面を戻すためのキーである。
【００２３】
デジタル複合機１は、操作部１７２や通信部１５（図４参照）を介して受付けたユーザーからの指示に基づき、スキャナ、印刷、コピーまたは画像送信（Scan to Email, Scan to Ftp）等のジョブを実行する。
【００２４】
続いて、図４に基づき、デジタル複合機１の概略構成を説明する。
図４は、図１に示すデジタル複合機１の概略構成を示すブロック図である。
図４に示すように、デジタル複合機１は、制御部１０、画像読取部１１、画像形成部１２、記憶部１３、画像処理部１４、通信部１５、給紙部１６、パネルユニット１７および計時部１８を備える。
【００２５】
以下、デジタル複合機１の各構成要素を説明する。
【００２６】
制御部１０は、デジタル複合機１を統合的に制御するものであって、ＣＰＵ、ＲＡＭ、ＲＯＭ、各種のインターフェース回路等からなる。
制御部１０は、デジタル複合機１全体の動作をコントロールするために、各センサの検知、モーター、クラッチ、パネルユニット１７等、あらゆる負荷の監視・制御を行う。
【００２７】
画像読取部１１は、原稿台に置かれた原稿や原稿トレイから搬送されてきた原稿を検知して読み取り、画像データを生成する部分である。また、外部の情報処理装置（不図示）またはファクシミリ装置（不図示）等で生成された画像データを取得する部分である。
なお、画像データを外部の情報処理装置等から取得する場合、有線または無線ネットワークを経由して画像データを取得するものであっても、またはＵＳＢ等に記録された画像データを取得するものであってもよく、また、これらを組み合わせたものであってもよい。
【００２８】
画像形成部１２は、画像処理部１４によって生成された画像データを用紙上に印刷出力する部分であり、ＬＳＵ１２１を備える。
ＬＳＵ１２１は、画像読取部１１によって取得されたデジタル信号からなる画像情報に対応するレーザー光を帯電状態にある感光体ドラムの表面に照射して、静電潜像を形成する装置である。
【００２９】
記憶部１３は、デジタル複合機１の各種機能を実現するために必要な情報や、制御プログラムなどを記憶する素子や記憶媒体である。例えば、ＲＡＭやＲＯＭ等の半導体素子、ハードディスク、フラッシュ記憶部、ＳＳＤ等の記憶媒体が用いられる。
なお、データを保持する領域がハードディスクドライブで、プログラムを保持する領域がフラッシュ記憶部で構成するといったように、プログラムとデータが異なる装置に保持されてもよい。
【００３０】
画像処理部１４は、画像読取部１１によって読み取られた原稿画像を適正な電気信号に変換して画像データを生成し、画像読取部１１から入力された画像データを操作部１７２からの指令に従い、拡大・縮小等の出力に適するように処理を行う部分である。
【００３１】
通信部１５は、ネットワーク等を介して、コンピュータや携帯情報端末、外部の情報処理装置やファクシミリ装置等との通信をおこない、メールやＦＡＸなどの種々の情報をこれら外部の通信装置と送受信する部分である。
【００３２】
給紙部１６は、給紙カセット、手差トレイに格納された用紙を画像形成部１２まで搬送する部分である。
【００３３】
パネルユニット１７は、液晶ディスプレイ（Liquid Crystal Display）を備えたユニットであり、表示部１７１および操作部１７２を備える。
【００３４】
表示部１７１は、各種情報の表示を行う部分である。表示部１７１は、例えば、ＣＲＴディスプレイ、液晶ディスプレイ、ＥＬディスプレイなどで構成され、オペレーティングシステムやアプリケーションソフトウェアが処理状態など電子的なデータを表示するためのモニタやラインディスプレイなどの表示装置である。制御部１０は、表示部１７１を通じて、デジタル複合機１の動作および状態の表示を行う。
【００３５】
操作部１７２は、タッチパネル１７２１および表示操作部１７２２を備え、ユーザーからの指令を受け付ける部分である。
【００３６】
＜意図しない誤操作検出方法＞
次に、図５〜図７に基づき、意図しない誤操作検出方法について説明する。
図５は、図１に示すデジタル複合機１のタッチパネル１７２１の操作の一例を示す説明図である。図６は、図１に示すタッチパネル１７２１の任意の１点における静電容量の変化を表した説明図である。図７は、タッチ速度が遅い場合における、図１に示す表示部１７１の表示の一例を示す説明図である。
【００３７】
最初に、ユーザーが意図しない誤操作について説明する。
図５に示されるように、ユーザーが人差し指でパネルの一点をタッチした場合を想定する。
【００３８】
このとき、ユーザーが意図して人差し指でタッチした接触点ＣＰ１だけでなく、ユーザーが意図せずにパネルの別の箇所をタッチしてしまうことがある。
図５においては、このような意図しないタッチの例として、親指との接触点ＣＰ２と、中指、薬指および小指との接触点ＣＰ３とが示されている。
【００３９】
また、上にあげた例以外にも、利き手でない方の手の指を無意識にパネルに接触させてしまうことにより、ユーザーが意図しないタッチをしてしまうこともある。
例えば、スマートフォンやタブレット等の携帯端末においては、携帯端末の本体を保持する手の指がパネルに接触することによって、ユーザーが意図しないタッチをしてしまうこともある。
【００４０】
特に、投影型静電容量方式のタッチパネル１７２１は、指をパネルの表面に近づけただけでタッチ位置が検出されるため、タッチパネル１７２１の感度が高い場合に、このような意図しない誤操作が生じ易くなる。
【００４１】
ところで、これらのユーザーが意図しないタッチは、一般に、ユーザーが意図するタッチよりも、タッチ速度が遅い場合が多い。
そこで、ユーザーが意図するタッチと、ユーザーが意図しないタッチとの間のタッチ速度の違いに着目して、ユーザーが意図するタッチと、ユーザーが意図しないタッチとを判別することを考える。
具体的な方法としては、投影型静電容量方式のタッチパネル１７２１において、指がパネルの表面に近づくと、静電容量が増加する現象を利用する。
【００４２】
次に、図６に基づき、パネルの任意の一点を指でタッチしたときの静電容量の変化に基づき、意図しないタッチを検出する方法について説明する。
図６の横軸は、時間の経過を示し、図６の縦軸は、指でタッチされたパネルの一点の静電容量の大きさを示す。
【００４３】
図６（Ａ）において、パネルに指が近づくと、時刻ｔ０で静電容量の変化が生じ、時刻ｔ３でピークに達する。ここで、時刻ｔ０以前は、指をまったく検出していない状態に相当し、時刻ｔ３移行は、指がパネルに接触した状態に相当する。
【００４４】
なお、説明の便宜上、図６に示される静電容量の変化は直線状の変換を想定しているが、曲線状の変化であっても同様である。
【００４５】
ここで、指がパネルの近傍（例えば１ｃｍの距離）に近づき、時刻ｔ２に予め定められた閾値（閾値Ｔｈ１）を超えた時点で、制御部１０はタッチ操作があったものと判定する。
【００４６】
また、図６（Ｂ）に示すように、静電容量の下限と閾値Ｔｈ１との間に閾値Ｔｈ２を設け、閾値Ｔｈ２から閾値Ｔｈ１まで静電容量が変化するのに要した時間Δｔ＝ｔ２−ｔ１を算出する。
閾値Ｔｈ２は、例えば、指がパネルから約５ｃｍ離れた距離にあるときの静電容量の大きさである。ただし、閾値Ｔｈ２と閾値Ｔｈ１との間が近すぎると、突発的な静電容量の変化が生じたとき、タッチ速度を誤って判定してしまうことがあるため、閾値Ｔｈ２と閾値Ｔｈ１との間は、ある程度の大きさをとることが望ましい。
【００４７】
図６（Ｃ）に示すように、経過時間Δｔ＝ｔ２−ｔ１が予め定められた基準時間ｂｔよりも長い場合、制御部１０は、指のタッチ速度が遅いものと判定する。
一方、図６（Ｄ）に示すように、経過時間Δｔが予め定められた基準時間ｂｔよりも短い場合、制御部１０は、指のタッチ速度が速いものと判定する。
【００４８】
なお、一度に複数の指のタッチを検出した場合は、それぞれのタッチについて指のタッチ速度を算出し、個別に処理を行うようにする。
【００４９】
制御部１０は、指のタッチ速度が遅いと判定した場合、タッチパネル１７２１の誤検出が生じた可能性があるものと判断する。
図７に示されるように、印刷キーのタッチ速度が遅い場合、制御部１０は、印刷を実行すべきか否かを確認するダイアログボックス１７１１を表示させて、ユーザーの意思を確認する。
【００５０】
ユーザーは、ダイアログボックス１７１１の「はい」キーまたは「いいえ」キーをタッチすることによって、意図しない誤操作が実行されることを事前に防止することが可能となる。
【００５１】
〔実施形態２〕
次に、図８に基づき、この発明の実施形態２に係るデジタル複合機１について説明する。
図８は、タッチ速度が遅い場合における、実施形態２に係るデジタル複合機１の表示部１７１の表示の一例を示す説明図である。
タッチ速度が遅いと判断した場合、制御部１０は、画像処理部１４を制御して、図８に示すように、タッチした部分の画像を拡大表示させる。
具体的には、図８に示されるように、ユーザーが「ｓ」キーをタッチした速度が遅いため、「ｓ」キーの周辺の拡大部分１７１２が表示される。
【００５２】
このように、指がパネルに意図せずに触れてしまった場合、指が触れた部分の近傍が拡大表示されてユーザーの注意を促すため、ユーザーが意図しない誤操作を防止することが可能となる。
【００５３】
〔実施形態３〕
次に、図９に基づき、この発明の実施形態３に係るデジタル複合機１について説明する。
図９は、実施形態３に係るデジタル複合機１のパネルユニット１７を示す説明図である。
【００５４】
デジタル複合機１のメンテナンスや修理等のため、表示部１７１にサービスマン用の専用画面を表示することがある。また、一般に、ユーザーが意図せずにサービスマン用の専用画面に入ることを防ぐため、図９に示されるように、パネルの隅部分１７１３または隅部分１７１４など、操作キーが表示されない箇所や時間表示部分を予め定められた時間、１回ないしは複数回タッチすることによって、サービスマン用の専用画面に入ることができるようになっている。
【００５５】
これらの部分には、通常、画面上に操作キーが表示されないため、ユーザーにはわからないが、ユーザーが操作キーを操作する際に、意図せずにこれらの隅部分１７１３または隅部分１７１４をタッチしてしまい、サービスマン用の画面を表示させてしまうことがある。
【００５６】
このような問題を解決すべく、実施形態３に係るデジタル複合機１では、サービスマン用の専用画面を表示させる際の操作にタッチ速度を組み合わせることで、操作の手間を増やすことなく、ユーザーが意図せずにサービス画面を表示させてしまうことを防止する。
【００５７】
具体的には、パネルの隅部分１７１３または隅部分１７１４を予め定められた速度よりも速くタッチした場合にのみ、サービスマン用の専用画面を表示部１７１に表示させるようにする。このようにすることで、ユーザーが隅部分１７１３または隅部分１７１４を意図せずに触れてしまっても、サービス画面が表示されないため、誤操作を防止することが可能となる。
【００５８】
（その他の実施形態）
１．実施形態１において、異なる長さの２つの基準時間ｂｔ１およびｂｔ２（ｂｔ１＞ｂｔ２）を定め、当該２つの基準時間ｂｔ１およびｂｔ２との関係に基づいて、タッチ速度を判定するようにしてもよい。（実施形態４）
【００５９】
このようにすれば、タッチ速度のより細かな判定が可能となる。
【００６０】
具体的には、制御部１０は、経過時間Δｔが基準時間ｂｔ１よりも長い場合は、指のタッチ速度が遅いものと判定し、一方、経過時間Δｔが基準時間ｂｔ２よりも短い場合は、指のタッチ速度が速いものと判定する。また、経過時間Δｔが基準時間ｂｔ１以下、かつ、基準時間ｂｔ２以上の場合は、制御部１０は、指のタッチ速度が速くも遅くもないものと判定する。
【００６１】
２．実施形態１において、印刷を実行すべきか否かを確認するダイアログボックス１７１１を表示させると同時に、図１０に示されるように印刷プレビュー１７１５を表示するようにしてもよい（実施形態５）。
【００６２】
このようにすれば、印刷の開始を再確認中に印刷プレビュー１７１５を表示することによって、ユーザーは、印刷プレビュー１７１５で印刷の仕上がり状態を確認した上で印刷の実行を選択できるため、意図しない印刷の実行が開始されることを防止できる。
【００６３】
３．実施形態１〜５において、デジタル複合機１の設定変更をする際に、タッチ速度に応じて、再度実行すべきか否かを確認するダイアログボックス１７１１を表示するようにしてもよい（実施形態６）。
【００６４】
このようにすれば、設定を変更する際にユーザーが意図せずに最終決定キーを押してしまった場合、元の設定に戻すことができなくなることがあるが、このような誤操作による設定変更を事前に防止できる。
【００６５】
以上に述べたように、
（i）この発明によるタッチ入力装置は、画面に指が近づいたときに生じる静電容量の変化に基づき、前記画面をタッチした位置を検出する静電容量方式のタッチパネルと、予め定められた静電容量の下限閾値および上限閾値ならびにタッチ速度判定の基準時間を格納する記憶部と、時間を計測する計時部と、前記タッチパネル、前記記憶部および前記計時部を制御する制御部とを備え、前記下限閾値は、前記タッチパネルが指を検出していないときの静電容量より大きく、前記上限閾値は、画面に指が接触しているときの静電容量より小さく、前記制御部は、画面に指が近づいた際に、前記静電容量が前記下限閾値から上限閾値まで変化するのに要した経過時間を前記計時部に計測させ、前記経過時間が前記基準時間より長いとき、意図しない誤操作が生じたものと判定することを特徴とする。
また、この発明によるタッチ入力方法は、画面に指が近づいたときに生じる静電容量の変化に基づき、前記画面をタッチした位置を検出する静電容量方式のタッチパネルのタッチ入力方法であって、画面に指が近づいた際、前記静電容量が、予め定められた下限閾値から上限閾値まで変化するのに要した経過時間を計測し、前記経過時間が予め定められた基準時間より長いとき、意図しない誤操作が生じたものと判定することを特徴とする。
【００６６】
この発明において、「タッチ入力装置」は、タッチパネルを備え、指先やペン等で画面上をタッチし、画面上の位置を指定することによって操作する入力装置である。
「意図しない誤操作」は、タッチパネルを押そうとする指以外の指がタッチパネルに誤って接触することによる誤操作である。例えば、右利きの人の場合、ディスプレイを保持する左手の指がタッチパネルに接触してしまった場合や、また、利き手であっても、タッチする指（人差し指など）と異なる指（親指など）がタッチパネルに接触してしまった場合などがあげられる。
【００６７】
さらに、この発明の好ましい態様について説明する。
（ii）前記制御部は、前記画面に表示された操作キーがタッチされた場合において、前記経過時間が前記基準時間より長いとき、前記操作キーによる操作を実行すべきか否かを確認するメッセージを前記画面に表示させるものであってもよい。
【００６８】
このようにすれば、操作キーのタッチ速度が遅く、意図しない誤操作が生じた可能性が高い場合、再度確認メッセージを表示することで、意図しない誤操作が実行されることを事前に防止することが可能となる。
【００６９】
（iii）前記制御部は、前記操作キーが印刷操作に係るものである場合、前記メッセージと併せて印刷プレビューを表示させるものであってもよい。
【００７０】
このようにすれば、印刷の開始を再確認中に印刷プレビューを表示することによって、ユーザーは、印刷プレビューで印刷の仕上がり状態を確認した上で印刷の実行を選択できるため、意図しない印刷の実行が開始されることを防止できる。
【００７１】
（iv）前記操作キーは、設定を変更する際の最終決定に係るものであってもよい。
【００７２】
このようにすれば、設定を変更する際にユーザーが意図せずに最終決定キーを押してしまって、元の設定に戻すことが出来なくなることを事前に防止できる。
【００７３】
（v）前記制御部は、前記画面の操作キーが表示されていない予め定められた箇所がタッチされた場合において、前記経過時間が前記基準時間より短いときに限って、予め定められた専用画面を表示させるものであってもよい。
【００７４】
このようにすれば、一般ユーザーが意図せずに画面の操作キーが表示されていない特定の箇所をタッチすることによって、サービスマン用の専用画面に入るのを防止することができる。
【００７５】
「専用画面」は、例えば、タッチ入力装置を備えた機器のメンテナンスや修理等のためのサービスマン用の専用画面である。
【００７６】
（vi）前記制御部は、前記画面がタッチされた場合において、前記経過時間が前記基準時間より長いとき、前記画面のタッチされた部分を拡大表示させるものであってもよい。
【００７７】
このようにすれば、画面に指が意図せずに触れてしまった場合、指が触れた部分の近傍が拡大表示されてユーザーの注意を促すため、ユーザーが意図しない誤操作を防止することが可能となる。
（vii）前記タッチ入力装置を備えた画像形成装置であってもよい。
【００７８】
このようにすれば、ユーザーの意図しない誤操作の発生を未然に防止する画像形成装置を実現できる。
【００７９】
「画像形成装置」は、トナーによる像形成に電子写真方式を用いるプリンタなどの複写（コピー機能）機能を有する複写機や複合機、または複写以外の機能をも含むＭＦＰ（Multifunction Peripheral：多機能周辺装置）など、画像を形成して出力する装置である。
【００８０】
この発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００８１】
１：デジタル複合機、    １０：制御部、    １１：画像読取部、    １２：画像形成部、    １３：記憶部、    １４：画像処理部、    １５：通信部、    １６：給紙部、    １７：パネルユニット、    １８：計時部、    １７１：表示部、    １７２：操作部、    １７１１：ダイアログボックス、    １７１２：拡大部分、    １７１３，１７１４：隅部分、    １７１５：印刷プレビュー、    １７２１：タッチパネル、    １７２２：表示操作部、    １７２２１：表示灯、    １７２２２：電源キー、    １７２２３：節電キー、    １７２２４：ホームキー、    ｂｔ，ｂｔ１，ｂｔ２：基準時間、    ＣＰ１，ＣＰ２，ＣＰ３：接触点、    Δｔ：経過時間、    ｔ０，ｔ１，ｔ２，ｔ３：時刻、    Ｔｈ１，Ｔｈ２：閾値
【図１】
2016206749.tif 000003
【図４】
2016206749.tif 000004
【図５】
2016206749.tif 000005
【図６】
2016206749.tif 000006
【図２】
2016206749.tif 000007
【図３】
2016206749.tif 000008
【図７】
2016206749.tif 000009
【図８】
2016206749.tif 000010
【図９】
2016206749.tif 000011
【図１０】
2016206749.tif 000012